(57)【要約】【課題】屋内外の様々な場所に雨水その他の水が滞留した場合に、そのような滞留水の全てを容易かつ確実に排水すると共に、その滞留領域を乾燥状態にすること。【解決手段】平面視四辺形の容器状装置本体１と、圧縮空気を容器状装置本体１の内部空間からその先端側の排水口２に噴出させるノズル部３と、排水口２から排水対象水及び空気噴流を外部に案内排水する排水案内管４とで構成した。容器状装置本体１は、上面を天板部１ａで、周囲を四辺から垂下する周側板１ｂで、それぞれ閉じ、かつ下部を全面的に開口した箱形の部材である。周側板１ｂの下端には定間隔で複数の微小突起１ｂｐ、１ｂｐ…を突出させてある。排水口２は容器状装置本体１の先端側の周側板１ｂに開口してある。排水案内管４は排水口２から斜め上向きに延長する構成の管体である。ノズル部３の後端にはコンプレッサ８に他端を接続したホース部材６の一端を接続する。【選択図】  図１
2014152728.tif 000002
【特許請求の範囲】
【請求項１】
上面を天板部で、周囲を下方に垂下する周側板で、それぞれ閉じた下部開口の容器状装置本体と、圧縮空気を導入し、その圧縮空気を前記容器状装置本体の内部空間から排水口に噴出させるノズル部と、前記容器状装置本体の内部空間の先端側に位置する前記排水口であって、排水動作時に前記ノズル部から噴出する空気噴流により前記周側板の下端と排水対象部位の底面との間から吸引される排水対象水を該空気噴流と共に排水する排水口と、該排水口から該排水対象水及び該空気噴流を外部に案内排水する排水案内管と、で構成した排水装置。
【請求項２】
前記容器状装置本体の周側板の下端に、排水動作時に、排水対象部位の底面との間に微小隙間をあけるための複数の隙間形成用の微小突起を突出させた請求項１の排水装置。
【請求項３】
前記案内排水管を、前記容器状装置本体の先端側の天板部又は周側板に開口した排水口から斜め上向きに延びる剛性の管体で構成した請求項１の排水装置。
【発明の詳細な説明】
【技術分野】
【０００１】
本発明は、屋内外の様々な場所に雨水その他の水が滞留した場合、特に建築途上の建築物のベタ基礎の上等に雨水等が滞留したような場合に、そのような滞留水を容易かつ確実に排水し、かつその滞留領域を乾燥状態にまですることができる排水装置に関する。
【背景技術】
【０００２】
ポンプ装置は種々のそれが市販されているが、それらは、池、川、湖、井戸又はタンク等からくみ出すのに適当なものであり、それらの中には、浅く広く滞留している水をその外側の適当な場所に排出するのに適切なそれは見出し得ない。更に排水後にその領域を乾燥させることまでできる装置は全く見出し得ない。また若干の調査をしてみたが、前記の用途の排水装置として適切な装置は特許等の提案もされていないように思われる。
【０００３】
特許文献１は、雨水排水ポンプ装置に関するものであり、排水ポンプの上流側に十分な大きさの沈砂池を設けることが困難な雨水排水ポンプ装置において、前記排水ポンプの上流側に設置された着水井の底面部に段差を設けたものである。
【０００４】
この特許文献１によれば、雨水を着水井に導入して流速を低下させ、その底部に構成した段差部の直前に該雨水中の土砂を堆積させることにより、下流側に配した排水ポンプの吸込口側の吸水槽への土砂の堆積を防止することができると云うものである。そのように作用することは確かであると思われるが、排水ポンプそれ自体は既存のそれであると思われ、例えば、建築途上の建築物の基礎上面上に滞留した雨水の排水のような深度の浅い滞留水の排水は困難であると思われ、更に排水後に引き続いてその領域の乾燥を行うことはは全く不可能である。
【０００５】
特許文献２は、排水ポンプに関するものであり、羽根車入口側の吸込ケーシングに貫通孔を形成し、外部に連通する空気管を前記貫通孔に接続した排水ポンプにおいて、羽根車の下流側に水抜き用の配管及びそれに介装された開閉弁を設け、該配管は羽根車上流側に連通しており、排水を停止した際に羽根車下流側の圧力を低減するべく開閉弁を開放するように制御する制御機構を備えているものである。
【０００６】
この特許文献２の排水ポンプによれば、前回の排水時に水槽の水位が低下し羽根車入口近傍に空気が入り、これが、次に水位が上がって排水運転を開始するときに、その部位に残留していた場合には、その空気を排出することが可能であり、かつ羽根車下流側の圧力を低減すべく開閉弁が開放されることになる。それ故、待機状態から排水運転を開始した際に、揚水又は排水を確実に行うことができるとされている。そしてこのように作用することは確かなことであると思われるが、この特許文献２の排水ポンプは、ポンプ装置自体は、渦巻ポンプ又は車流ポンプ等の従来のポンプ装置であり、例えば、前記した建築途上の建築物の基礎上面上に滞留した雨水の排水のような、深度の浅い滞留水の排水は困難であると思われ、更に排水後に引き続いてその領域の乾燥を行うことは全く不可能である。
【０００７】
特許文献３は、排水ポンプに関するものであり、原動機の回転出力が減速機もしくは可変速流体継手を組込んだ複合減速機を介して主軸に伝達されるように構成されている排水ポンプにおいて、前記原動機の出力回転軸から排水ポンプの主軸に至る動力伝達系に２個の可変速流体継手を直列状に介設したものである。
【０００８】
この特許文献３の排水ポンプによれば、通常排水時には、原動機の定格運転により排水ポンプを高速回転駆動する大量排水運転を行って、大量の雨水の排水に対応し、少降雨時および極少降雨時には、原動機の低出力回転と２個の可変速流体継手の変速操作との協働によって、排水ポンプを極低速回転運動させて、極少量排水運転を行うことにより、河川から吸水井に流入して来た極小量の雨水の排水に適切に対応することができる。それ故、少降雨時および極少降雨時において排水ポンプにより排水運転が開始されても、吸水井の水位の急激な昇降が繰り返されるようなことはなくなる。また水位が運転可能水位未満まで低下するようなこともなくなり、排水ポンプの空気の吸い込みを回避することができる。その結果、大きな振動や騒音が発生しなくなるものでもある。この特許文献３の排水ポンプによれば、このような作用及び効果が得られることは認められる。
【０００９】
しかしこの特許文献３の排水ポンプもポンプ本体は、既存のそれであり、特許文献１、２の雨水排水ポンプ装置又は排水ポンプと同様に、建築途上の建築物の基礎上面上に滞留した雨水の排水のような深度の浅い滞留水の排水は困難であると思われ、更に排水後のその領域の乾燥を行うことはやはり全く不可能である。
【先行技術文献】
【特許文献】
【００１０】
【特許文献１】特開平０６−２４８６９０号公報
【特許文献２】特開平０６−２７２６８９号公報
【特許文献３】特開平０９−０１４１７７号公報
【発明の概要】
【発明が解決しようとする課題】
【００１１】
本発明は、屋内外の様々な場所に雨水その他の水が滞留した場合に、そのような滞留水の全てを容易かつ確実に排水すると共に、必要に応じてその滞留領域を乾燥状態にまですることも可能な排水装置を提供することを解決の課題とする。
【課題を解決するための手段】
【００１２】
本発明の１は、上面を天板部で、周囲を下方に垂下する周側板で、それぞれ閉じた下部開口の容器状装置本体と、圧縮空気を導入し、その圧縮空気を前記容器状装置本体の内部空間から排水口に噴出させるノズル部と、前記容器状装置本体の内部空間の先端側に位置する前記排水口であって、排水動作時に前記ノズル部から噴出する空気噴流により前記周側板の下端と排水対象部位の底面との間から吸引される排水対象水を該空気噴流と共に排水する排水口と、該排水口から該排水対象水及び該空気噴流を外部に案内排水する排水案内管と、で構成した排水装置である。
【００１３】
本発明の２は、本発明の１の排水装置において、
前記容器状装置本体の周側板の下端に、排水動作時に、排水対象部位の底面との間に微小隙間をあけるための複数の隙間形成用の微小突起を突出させたものである。
【００１４】
本発明の３は、本発明の１の排水装置において、
前記案内排水管を、前記容器状装置本体の先端側の天板部又は周側板に開口した排水口から斜め上向きに延びる剛性の管体で構成したものである。
【発明の効果】
【００１５】
本発明の１の排水装置は、そのノズル部にホース部材等を介してコンプレッサを接続し、排水対象水の滞留している排水対象部位にセットして使用する。前記容器状装置本体の下部開口を下に向け、かつ前記排水案内管の外端の吐出口を排水の受け入れ可能な場所に向けた状態にして該排水対象部位にセットする。排水対象水は特に限定されない。種々の無用の滞留水等である。例えば、建築途上の建築物等のベタ基礎上に滞留した雨水等であり、そのような滞留雨水等の排水対象水の滞留する排水対象部位に、前記のように、この装置の容器状装置本体を下部開口を下向きにして沈め、前記コンプレッサを動作させると、該コンプレッサで発生された圧縮空気が前記ホース部材等を介してこの装置に圧送され、前記ノズル部に導入され、該ノズル部を通じて前記内部空間から排水口に噴出されることになる。
【００１６】
空気噴流が、前記のように、ノズル部を通じて前記排水口側に流れると、これによって前記容器状装置本体の周側板の下端と排水対象部位の底面との間の微小隙間を通じて滞留雨水等の排水対象水が吸引導入され、該噴流空気と共に前記排水口側に導かれることになる。滞留雨水等の排水対象水が該容器状装置本体の周囲に存在している限り、その吸引及び排水口側への導き作用が継続し、いずれその周囲の排水対象水は全て排水されることになる。
【００１７】
前記容器状装置本体を排水対象水が滞留した排水対象部位に配置すると、前記周側板の下端と該排水対象部位の底面との間には微小隙間があくことになる。すなわち、排水対象水が滞留する排水対象部位の底面が完全に平坦であることは殆どあり得ないので、前記容器状装置本体の周側板の下端が、たとえ、直線的な構成であっても、殆どの場合に、該周側板の下端と該排水対象部位の底面とは、いくつかの部位で接触しつつ、その間には微小隙間があくことになる。
【００１８】
以上のようにして該容器状装置本体の周側板の下端と排水対象部位の底面との間の殆どの部分に微小隙間が生じることにより、該微小隙間を通じて周囲の深度の非常に浅い滞留水、たとえば、１ｍｍ以下の深度若しくは底面を濡らしている程度の滞留水をも引き込むことが可能になる。深度の浅い滞留水は霧状になって引き込まれることになる。このように濡れている程度までの滞留水が吸引排出できることにより、滞留水を単に排水するのみではなく、乾燥させるところまで進めることも可能になる。なお、以上のような深度の浅い滞留水ばかりでなく、深度の深い滞留水が吸引できることは言うまでも無い。
【００１９】
該容器状装置本体の内部空間に引き込まれた滞留水は該内部空間を通過して更に前記排水口に引き込まれ、前記排水案内管の内部を通じて外部に移動し、その吐出口から排水の受け入れ可能な場所に吐出されることになる。該排水案内管は、ノズル部から噴出される空気噴流に引き込まれる滞留水を、その拡大拡散を抑えつつ吐出口まで案内する管体であり、そのように作用する。その長さは、ノズル部から噴出される圧縮空気の量及び速度等を考慮して決定され、これらが大きければ、より長く、小さければ、より短く構成すべきものである。該排水案内管は、これを剛体に構成した場合は、その角度を、滞留水の受け入れ可能な場所までの障壁類の高さを考慮して決定する。当然、様々な場合があり得るので、複数の角度のそれを用意しておくのが適当であることになる。若しくは、該排水案内管は排水口に角度可変に取り付けることとするのが良い。なお、この場合も、角度に応じてノズル部から噴出される圧縮空気の量及び速度等について配慮すべきことになる。実験的に定めるのが容易である。また該排水案内管は、フレキシブルな管体で構成した場合であっても、使用時には、屈曲をより少なくすることが好ましい。又いずれの場合もその内面は平滑であるべきである。
【００２０】
なお、排水の受け入れ可能な場所が、排水溝又は排水溝に繋がる下がり勾配の傾斜面であれば、滞留水の排水はそこまで行うことで十分であるが、前記排水案内管の長さ等の関係より一時保管場所のような場所に排水した場合は、この排水装置でもう一度排水溝又はこれに繋がる下がり勾配の傾斜面等に排水することにより排水は完了できる。
【００２１】
前記ノズル部は、前記のように、圧縮空気を導入し、その圧縮空気を前記容器状装置本体の内部空間から排水口に噴出させる手段であり、これは、ノズル部の噴口を前記排出口の手前に位置させ、手前で該排出口に向かって圧縮空気を噴出させる場合と、該噴口を排出口の内部に位置させ、内部で圧縮空気を噴出させる場合の双方を含む意味である。該噴口を排水口の手前に配置する場合は、該噴口から噴出する空気噴流に吸引され、該空気噴流と共に徐々に拡大しながら排水口側に移動する滞留水の殆どが該排水口に進入することができる該排水口までの距離の範囲の位置に配置する。
【００２２】
また本発明の１の排水装置によれば、前記容器状装置本体の周側板の下端と排水対象部位の底面との隙間を通過し、排水口から排水案内管を通過しうる異物は問題なく排出し得るものであり、特に周側板の下端と排水対象部位の底面との隙間は異物が詰まったとしても該容器状装置本体を持ち上げれば取れてしまうので全く問題が無い。例えば、建築途上の建築物のベタ基礎上に溜まった雨水等の排水に際しては、種々の建築廃材が混入することがあるが、前記周側板の下端下の隙間を通過しうる物は問題なく排出することができる。また、以上のような雨水等の排水に際しては泥水の排水の必要が生じることがあるが、これも全く問題なく行うことができる。特に多量の泥が分散し、粘性が高い状態になっている場合には、水を追加し、粘度を低下させれば、容易に排出できることになる。排水対象部位に泥が溜まっているような場合にも、同様に水を加えて粘性の低い泥水にすれば、容易に排出可能であり、泥の溜まった領域の清掃を行うことも可能である。電気工事で生じる切り粉のような物であっても同様に排出可能である。以上のとおりであり、異物の混入した排水対象水の排水も可能であり、これによって故障の生じるような虞も殆どない。
【００２３】
本発明の２の排水装置によれば、前記容器状装置本体の周側板の下端に複数の隙間形成用の微小突起を突出させたので、排水対象部位が全く平坦であるというような特別な場合であっても、排水動作時に、該容器状装置本体の周側板の下端と排水対象部位の底面との間に微小隙間をあけることが可能になり、どのような場合でも排水動作が可能になる。
【００２４】
本発明の３の排水装置によれば、吸引した滞留水をその先端吐出口まで案内して吐出することにより、例えば、排水対象部位が何らかの仕切りで囲まれている場合であっても、その仕切りを越えてその外側の排出先まで案内し吐出させることができる。
【図面の簡単な説明】
【００２５】
【図１】(a)は実施例１の排水装置の側面図、(b)はその断面図、(c)は実施例１の容器状装置本体の側面図。
【図２】(a)は実施例１の排水装置の平面図、(b)はそのはい面図。
【図３】(a)は実施例１の排水装置の使用状態を示す説明図、(b)は実施例１の排水装置の動作を説明するための説明図。
【図４】実施例２の排水装置の動作状態を示す説明図、
【図５】(a)は実施例３の排水装置の一部切欠平面図，(b)はその側面断面図。
【図６】(a)は実施例４の排水装置の断面図、(b)は平面図、(c)は底面図。
【図７】(a)は実施例５の排水装置の側面図、(b)は断面図。
【図８】(a)は実施例５の排水装置の平面図、(b)は底面図。使用状態を示す説明図。
【図９】(a)は実施例６の排水装置の断面図、(b)はその底面図、(c)はノズル部の取り付け状態を示す断面図。
【発明を実施するための形態】
【００２６】
以下、発明を実施するための形態を実施例１〜６に基づいて添付図面を参照しつつ詳細に説明する。
【００２７】
＜実施例１＞
この実施例１の排水装置は、図１(a)〜(c)及び図２(a)，(b)に示すように、平面視四辺形（正方形）の下部開口の容器状装置本体１と、圧縮空気を該容器状装置本体１の内部空間からその先端側に位置する排水口２に噴出させるノズル部３と、該排水口２から空気噴流及び排水対象水を外部に案内排出する排水案内管４とで構成したものである。
【００２８】
前記容器状装置本体１は、図１(a)〜(c)及び図２(a)、(b)に示すように、上面を天板部１ａで、周囲の四辺を下方に垂下する周側板１ｂで、それぞれ閉じ、かつ下部を全面的に開口した下部開口の箱形の部材である。該周側板１ｂの下端には、この実施例では、定間隔で複数の微小突起１ｂｐ、１ｂｐ…を突出させてある。これは、排水動作時に、該周側板１ｂの下端と排水対象部位の底面との間に微小隙間をあける手段であり、この微小空間を通じて排水対象水を外部から吸引させる趣旨の手段である。殆どの排水対象部位の底面は完全に平坦であるようなことはなく、若干の凹凸を有しているので、該周側板１ｂの下端にこのような微小突起１ｂｐ、１ｂｐ…を配さなくても、該下端と排水対象部位の底面との間には自ずと微小隙間が生じることになるが、例外的にあり得るかも知れない平坦な底面に対応するために構成したものである。
【００２９】
なお、前記周側板１ｂの高さ寸法はできるだけ小さいのが好ましい。この容器状装置本体１は、前記ノズル部３から噴出される空気噴流の速さ及び量が同一であれば、その高さ寸法が小さいほど、排水能力は高くなる。
なおまた、この実施例では、この容器状装置本体１は、下部開口の平面視正方形の部材に構成したが、これに限定されず、平面視長方形、三角形又は五角形以上の多角形、円形、楕円形又は不定形に構成することも可能である。
【００３０】
前記排水口２は、図１(b)に示すように、前記容器状装置本体１の先端側に開口した開口部であるが、先端側とは、該排水口２を開口させ、該排水口２に向かって空気噴流を噴出させるように構成したため、該排水口２を開口した部位がそうなったというべきものでもある。この排水口２は、この実施例では、前記周側板１ｂの一部に開口したが、前記天板部１ａの一部に開口しても良いし、該周側板１ｂと該天板部１ａの境界付近に開口することとしても良い。
【００３１】
前記排水案内管４は、図１(b)に示すように、前記排水口２に接続固定した剛性の管体であり、図１(a)、(b)及び図２(a)、(b)に示すように、該排水口２から斜め上向きに延長する構成としたものである。この排水案内管４の角度及び長さは、この排水装置を用いる排水対象部位から排水対象水を移送する移送先までの間の越えるべき障壁等の高さ及び距離を考慮して決定すべきものである。
【００３２】
前記排水口２及び前記排水案内管４の内径は、単位時間当たりの排水量を考慮して決定する。
【００３３】
前記ノズル部３は、図１(b)及び図２(b)に示すように、この実施例では、その後部を前記容器状装置本体１の天板部１ａの内面に固設したＬ型の固定片５で支持して、その先端部を前記排水口２中に延長挿入したものである。該ノズル部３の後端は、コンプレッサ８（図３(a)参照）に他端を接続したホース部材６の一端に接続し、該コンプレッサ８で生成した圧縮空気を該後端で受け入れ、先端から噴出できるようにしたものである。前記Ｌ型の固定片５は、その水平部を、前記のように、前記天板部１ａの内面に溶接固定し、その垂直部に開口した取付孔に前記ノズル部３を貫通させ、その貫通前後に貫通させた固定部材で、該固定片５の垂直部に固定したものである。該ノズル部３の後端は、前記のように、ホース部材６を接続したものであるが、該ホース部材６はその一端を該ノズル部３の後端に外装し、その状態を締付手段で締め付けてその外装状態を固定したものである。該ホース部材６は、この実施例では、その途中を容器状装置本体１の後部側の周側板１ｂの一部に開口した貫通穴を通じて外部に引き出したものである。
【００３４】
この実施例１の排水装置は、以上のように構成したものであり、それ故、以下に述べるように、例えば、建築途上のベタ基礎７上に滞留した雨水等の排水対象水の排水に有用に使用することができる。
【００３５】
この排水装置の使用に際しては、この装置を、まず排水対象水の滞留している排水対象部位、例えば、以上のような雨水の滞留したベタ基礎７上にセットする。このようなベタ基礎７上へのセットは、図３(b)に示すように、前記容器状装置本体１をその開口部を下にしてその周側板１ｂの下端を該ベタ基礎７上に当接状態して配置することにより行う。
【００３６】
前記排水案内管４は、その先端から排出される排水対象水が、図３(a)に示すように、直接に外部の側溝９等に投入されるか、側溝９等に向かって下降傾斜する傾斜路面に吐出されるか、または以上の二つの内のいずれかを次の段階で実行可能になる位置、例えば、図示しない基礎の立ち上がり部で区画された隣室のベタ基礎７上等に排水投入可能なように、向き及びその先端の位置を設定する。なお、該排水案内管４の先端の位置の以上のような状態のセットは、前記容器状装置本体１を必要な位置に移動することによって行うことになる。
【００３７】
このようにこの排水装置をセットして、前記コンプレッサ８を動作させると、該コンプレッサ８で圧縮空気が生成され、この圧縮空気が該コンプレッサ８に付属のタンクに蓄えられ、このタンクを介して排水装置に供給されることになる。該圧縮空気は、図３(a)に示すように、ホース部材６を通じて前記容器状装置本体１の内部に配置したノズル部３に供給される。図３(b)に示すように、該ノズル部３では、その後端で該圧縮空気を受け取り、そのホース部材６より小径の管状空間で増速して先端の噴口から噴出する。このようにして該ノズル部３の先端の憤口から噴出される高速の空気噴流により、該容器状装置本体１の内部に残留している空気及び内部に進入している滞留水が吸引され、これに伴って該容器状装置本体１の外部の滞留水が該容器状装置本体１の周側板１ｂの下端とベタ基礎７の表面との間の微小隙間を通じて該容器状装置本体１内に吸引される。
【００３８】
該ベタ基礎７等の排水対象水の滞留するエリアの殆どには何らかの凹凸があるので、周側板１ｂの下端との間には殆どの場合に微小隙間が生じるが、たとえ、例外的に、該ベタ基礎７の表面が全く平坦であったとしても、該周側板１ｂの下端には微小突起１ｂｐ、１ｂｐ…が形成してあるので、該周側板１ｂの下端と該ベタ基礎７の上面との間には必ず微小隙間が生じることになる。それ故、この微小隙間を通じた滞留水の吸引は確実に行われることになる。
【００３９】
図３(b)に示すように、こうして該容器状装置本体１の外部の滞留水は、その内部に吸引され、前記空気噴流と共に前記排水口２に導かれ、これに接続した排水案内管４で案内され、隣室のベタ基礎７上、外部の側溝９内又はこれに繋がる傾斜路面上に排出されることになり、雨水等の滞留水の排水を行うことができる。隣室のベタ基礎７上等に排水した場合は、再度、この排水装置を用いて、同様に排水動作を行い、外部の側溝９等に排水する。
【００４０】
更に同図に示すように、水位が高く、水面ｗｓが容器状装置本体１の天板部１ａの上方に位置するような場合は、当然に、前記周側板１ｂとその下方のベタ基礎７の表面等との間の微小隙間を通じて滞留水の吸引排水動作が行われることになるが、排水動作に伴って水位が下がり、該微小隙間の上端の高さを下回る程度になっても、この隙間は、文字通りに、微小隙間なので、吸引排水動作は可能であり、良好に排水動作が継続されることになる。また排水動作が終了した後もその動作を継続すると、引き続いて排水後の排水対象部位の乾燥動作が行われることになる。
【００４１】
排水対象部位の水位が極めて低くなり、例えば、５ｍｍ程度以下になっても、前記のように、前記周側板１ｂの下端と排水対象部位の底面との間の間隔は微小隙間であり、具体的には、１ｍｍ前後又はそれ以下程度の非常に狭い隙間であるため、排水動作を継続することが可能になる。更に前記乾燥動作も可能になるものである。単位時間当たりの排水量は、容器状装置本体１を大サイズにすることで確保できることになる。勿論、サイズが大きくなれば、コンプレッサ８からの圧縮空気の量のも大きくなるが、その程度は、実験的に定めることができる。
【００４２】
水位が低下してくると、吸引された滞留水は前記排水案内管４の先端から水滴状になって排出され、更に下回ると霧状になって排出されるようになる。ベタ基礎７上等の排水対象部位の底面が殆ど濡れているに過ぎない程度になった後は、以上の排水動作で該周側板１ｂの下端下の微小隙間を通じてその外部の空気が吸引されることになり、これによって該濡れた面上を空気が移動し、その乾燥を促進するようになる。
【００４３】
排水対象部位であるベタ基礎７上に泥が残っていたような場合には、このエリアに水を投入し、かき混ぜて、泥水にし、この排水装置で排水動作を行うことにより、その泥水の排水を行うことができる。滞留水中に異物が混入していた場合は、それが前記周側板１ｂの下端下の微小隙間を通過できないものであれば、そこに詰まる等によって残留することになる。これらの詰まった異物は排水作業の終了後に容易に取り除くことができる。また容器状装置本体１の内部に入り込んだ異物は、排水案内管４の径が小さくはないので、これを通じて排出されることになる。異物がいずれかの部位に詰まって故障の原因になるようなことはない。
【００４４】
こうしてこの実施例１の排水装置によれば、排水対象部位の排水動作を容易確実に行うことが可能であり、かつ最後にはその部位の乾燥処理まで行うことが可能である。
なお、この実施例１の排水装置で砂利を敷設した領域の排水処理を行ったが、これも良好に実施できた。
【００４５】
＜実施例２＞
実施例２の排水装置は、図４に示すように、そのノズル部１３が以上の実施例１のノズル部３と異なるのみで、他は全て同一である。図中、実施例１と同一の構成をもった要素にはそれと同一の符号を付してある。このノズル部１３は、同図に示すように、その先端の噴口が前記排水口２の直前に位置し、実施例１のそれのように排水口２の内部まで進入していないものである。このノズル部１３によれば、排水動作時に、その先端の噴口から噴出される空気噴流によって吸引される水流は、若干広がりつつ排水口２側に噴射流になって移動するが、その噴射流の全部が該排水口２中に入って行くことができる位置関係となっている。
【００４６】
従ってこの実施例２の排水装置は、実施例１の排水装置と同様に使用し、全く同様の効果を得ることができる。
【００４７】
＜実施例３＞
実施例３の排水装置は、図５(a)に示すように、その容器状装置本体１１を平面視円形に構成したものであり、それ故、天板部１１ａも平面視円形であり、周側板１１ｂもまた底面視円弧状である。周側板１１ｂの高さ寸法は実施例１の周側板１ｂと同様である。その他の構成要素は、図５(a)、(b)に示すように、全て実施例１のそれと同一であり、同一の符号を用いている。
【００４８】
従ってこの実施例３の排水装置は、実施例１の排水装置と同様に使用した場合に、排水対象部位の滞留水を周側板１１ｂの下端下の微小隙間を通じて吸引排水することができるものであり、その滞留水の流れ方は実施例１におけるそれと若干は異なったものとなるが、実質的に同様に排水動作を行うことができる。その後の乾燥動作もまた同様である。
【００４９】
＜実施例４＞
実施例４の排水装置は、図６(a)〜(c)に示すように、ノズル部３に接続するホース部材１６の通過経路が実施例１のそれと異なる他は、実施例１の排水装置と全く同様の構成である。図６中では、実施例１の構成要素と同様の構成の構成要素には同一の符号を付してある。
【００５０】
この実施例４では、コンプレッサ８に付属のタンクに一端を接続したホース部材１６は、同図に示すように、容器状装置本体１の前部側で周側板１ｂを通じてその内部に導かれ、後方に途中まで延長した上で、折り返して前記ノズル部３の後端に接続されている。接続の仕方は実施例１のそれと同様である。
【００５１】
実施例１と異なっているのは、以上のように、前記ホース部材１６の通過経路のみであるから、この排水装置を、排水対象部位の滞留水の排水のために使用した場合は、当然ながら、同様に動作し同様の効果を得ることができる。すなわち、この排水装置の容器状装置本体１を排水対象部位に設置して排水動作をさせると、言うまでも無く、排水対象部位の滞留水は周側板１ｂの下端下の微小隙間を通じて吸引排水されることになり、ホース部材１６の位置関係が実施例１のそれとは若干異なるので、排水動作に伴う滞留水の流れ方は、実施例１におけるそれと若干異なったものとなるが、実質的には同様の排水動作を行うことができる。その後の乾燥動作もまた同様である。
【００５２】
ただし、この実施例４では、前記ホース部材１６を排水案内管４と同様に、容器状装置本体１の周側板１ｂの前側部分から外部に引き出しており、多くの場合は、コンプレッサ８は、排水案内管４の延長側に配置されているので、その関係上から、排水対象部位への設置の際に好都合な場合が多い。
【００５３】
＜実施例５＞
実施例５は、図７(a)、(b)及び図８(a)、(b)に示すように、容器状装置本体２１の周側板２１ｂの高さ方向の寸法及び排水案内管２４の周側板２１ｂへの取付角度及びノズル部２３の先端の位置のそれぞれが実施例１のそれらと異なるほかは、実施例１のそれらと全く同様の構成である。それ故、実施例１のそれぞれと同一構成要素には同一の符号を付してある。
【００５４】
前記周側板２１ｂは、特に図７(a)、(b)に示すように、前部のそれの高さ寸法を高く構成し、後部のそれを低く構成し、両側部のそれを前後のそれを繋ぐ傾斜状に構成したものである。これ以外の容器状装置本体２１の構成は、実施例１の容器状装置本体１と同様である。また前記排水案内管２４は、それ自体は、実施例１の排水案内管４と全く同様の構成であるが、容器状装置本体２１の前部の周側板２１ｂへの取り付け方を、該周側板２１ｂの面に対して直角に突出するように構成したものである。更に前記ノズル部２３は排水口２の直前まで直線状に延長したものである。該ノズル部２３の先端の噴口は、以上に述べ、図７(b)及び図８(b)に示すように、排水口２の直前に位置し、該ノズル部２３の先端の噴口から噴出される空気噴流に伴って徐々に拡大しつつ移動する排水噴流が生じるが、上記ノズル部２３の先端噴口の排水口２との位置関係は、該排水噴流の全てが該排水口２に流入するような距離関係としてあるものである。
【００５５】
従ってこの実施例５の容器状装置本体２１を平面である排水対象部位の底面上に設置すると、前部側の周側板２１ｂの高さ寸法が高いので、該周側板２１の外面が上向きの傾斜面となり、自ずと前記排水案内管２４もその先端に向かって上向き傾斜となる。例えば、建築途上の建築物のベタ基礎７上に滞留した雨水を排水する際には、周囲の基礎立ち上がり部を越えて排水することが可能になる。
【００５６】
従ってこの実施例５の排水装置によれば、実施例１と殆ど同様に使用して同様の効果を得ることができる。
【００５７】
＜実施例６＞
実施例６は、図９(a)〜(c)に示すように、容器状装置本体３１へのノズル部３３及びホース部材３６の取り付け方並びに排水案内管３４の容器状装置本体３１への取り付け方、更に容器状装置本体３１の周側板３１ｂの高さ寸法が小さいことのそれぞれが実施例１のそれらと異なる他は、実施例１のそれらと全く同様の構成である。
【００５８】
前記ノズル部３３は、図９(a)〜(c)に示すように、容器状装置本体３１の天板部３１ａの下面にスペーサ板３５ａを固設した上で、その下面に当接状態に配置し、該ノズル部３３を取付部材３５ｂで該スペーサ板３５ａに固設する。この固設は、該ノズル部３３を、中央部の部分円弧状凹部３５ｂ１で抱え、その両側の取付板３５ｂ２、３５ｂ２を該スペーサ板３５ａに各々溶接固定することにより行ったものである。
【００５９】
図９(a)、(b)に示すように、ホース部材３６も、サイズの若干大きな同様の部材で固定する。すなわち、該ホース部材３６は、容器状装置本体３１の天板部３１ａの下面にスペーサ板３５ｃを固設した上で、その下面に当接状態に配置し、該ホース部材３６を取付部材３５ｄで該スペーサ板３５ｃの下面に固設する。この固設は、該ホース部材３６を、中央部の部分円弧状凹部３５ｄ１で抱え、その両側の取付板３５ｄ２、３５ｄ２を該スペーサ板３５ｃに各々溶接固定することにより行ったものである。
【００６０】
前記排水案内管３４は、図９(a)、(b)に示すように、容器状装置本体３１の天板部３１ａから周側板３１ｂに跨がった位置にその基部を固設し、急角度で立ち上げたものである。排水口３２も当然に該基部に対応する位置に開口したものである。そして又前記ノズル部３３の先端の噴口は該排水口３２中に進入状態に配したものである。
【００６１】
それ故、この実施例６による排水装置では、以上のように、ノズル部３３及びホース部材３６を、前記のようにして天板部３１ａに取り付けたため、前記容器状部材３１の周側板３１ｂの高さ方向の寸法を低くすることが可能になり、この実施例６では、そのように可能なだけ低く構成したものである。
【００６２】
従ってこの実施例６の排水装置によれば、実施例１〜５と殆ど同様に使用して排水対象部位の排水処理を行うことが可能であり、他の実施例１〜５と同様の圧縮空気に関する条件のもとでは、より多量の排水処理をより効率的に行うことができる。
【産業上の利用可能性】
【００６３】
本発明の排水装置は、これを製造する工業分野及びこれを用いる排水処理の分野で利用することができる。
【符号の説明】
【００６４】
１    容器状装置本体
１ａ  天板部
１ｂ  周側板
１ｂｐ  微小突起
２    排水口
３    ノズル部
４    排水案内管
５    Ｌ型の固定片
６    ホース部材
７    ベタ基礎
８    コンプレッサ
９    側溝
１１  容器状装置本体
１１ａ  天板部
１１ｂ  周側板
１３  ノズル部
１６  ホース部材
２１  容器状装置本体
２１ａ  天板部
２１ｂ  周側板
２３  ノズル部
２４  排水案内管
３１  容器状装置本体
３１ａ  天板部
３１ｂ  周側板
３１ｂｐ  微小突起
３２  排水口
３３  ノズル部
３４  排水案内管
３５ａ  スペーサ板
３５ｂ  取付部材
３５ｂ１  部分円弧状凹部
３５ｂ２  取付板
３５ｃ  スペーサ板
３５ｄ  取付部材
３５ｄ１  部分円弧状凹部
３５ｄ２  取付板
３６  ホース部材
ｗｓ  水面
【図１】
2014152728.tif 000003
【図２】
2014152728.tif 000004
【図３】
2014152728.tif 000005
【図４】
2014152728.tif 000006
【図５】
2014152728.tif 000007
【図６】
2014152728.tif 000008
【図７】
2014152728.tif 000009
【図８】
2014152728.tif 000010
【図９】
2014152728.tif 000011